(57)【要約】  シリンジ（１）の後端部（１３）内に固定されるようになっているストッパー（４）を、含んでおり、ストッパー（４）は、プランジャーロッド（２）のロッド部（２３）の嵌め込み部（２３２）で縮径させることによって後端部（１３）の内径よりも小径となって後端部（１３）に挿入できるようになっており、挿入後は拡径して外周の第１凹部（４５）が後端部（１３）の内面の第２凸部に嵌まることによって後端部（１３）内に軸方向移動不能に固定されるようになっており、ストッパー（４）は、内面に、固定された状態においてロッド部（２３）のガスケット支持フランジ（２２）の外径より小さい内径を有する、第３凸部を、有している。
2019077703.tif 000002
【特許請求の範囲】
【請求項１】
注射器に設けられており、シリンジの後端開口からピストン先端のガスケットが抜けるのを防止する、ガスケット抜け防止機構において、
前記シリンジの後端部内に固定されるようになっているストッパーを、含んでおり、
前記ストッパーは、割溝を有する円筒体であり、固定前はピストンのプランジャーロッドのロッド部の細径部に外嵌しており、固定する際には前記細径部において割溝を閉じる方向に変形させることによって前記シリンジの前記後端部の内径よりも小径となって前記後端部に挿入できるようになっており、挿入後は拡径して外周の第１凹部又は第１凸部が前記シリンジの前記後端部の内面の第２凸部又は第２凹部に嵌まることによって前記後端部内に軸方向移動不能に固定されるようになっており、
前記ストッパーは、固定された状態において前記ロッド部の前記ガスケット支持フランジの外径より小さい内径を有する、第３凸部を、有している、
ことを特徴とするガスケット抜け防止機構。
【請求項２】
前記シリンジの前記後端部は、シリンジ本体部の内径より大きい内径を有しており、
前記第２凸部は、前記ガスケットの外径と同等以上の内径を、有している、
請求項１記載のガスケット抜け防止機構。
【請求項３】
前記第２凸部は、周方向に連続して形成されており、
前記第１凹部は、前記割溝の部分以外において周方向に連続して形成されている、
請求項１又は２に記載のガスケット抜け防止機構。
【請求項４】
前記プランジャーロッドの前記ロッド部は、横断面十字状の形態を有しており、
前記円筒体は、前端が開放されており、且つ、後端が閉鎖されており、
前記円筒体の前記反シリンジ側の閉鎖部には、横断面十字状の前記ロッド部が挿通する溝が形成されている、
請求項１〜３のいずれか一つに記載のガスケット抜け防止機構。
【発明の詳細な説明】
【技術分野】
【０００１】
本発明は、注射器のシリンジの後端開口からピストン先端のガスケットが抜けるのを防止する、ガスケット抜け防止機構に関する。
【背景技術】
【０００２】
ピストンがシリンジに挿入された状態の注射器は、出荷時、滅菌時、及び使用時において、気密性及び液密性に優れていることが、望ましい。そのためには、ピストン先端のガスケットがシリンジから簡単に抜けないことが、要望される。特に、薬液吸引時に誤ってピストンをシリンジから引き抜いてしまうことを防止することが、要望されている。そして、それを実現するための構造、すなわち、ガスケット抜け防止機構が、従来から、種々提案されてきている。
【先行技術文献】
【特許文献】
【０００３】
【特許文献１】特開２００８−２５３８１２号公報
【特許文献２】特開２００５−１１８２３８号公報
【特許文献３】特開２００４−６５２７２号公報
【特許文献４】特開２００４−８６３９号公報
【特許文献５】特開２００１−３２７６００号公報
【特許文献６】特表２００９−５１５６０９号公報
【発明の概要】
【発明が解決しようとする課題】
【０００４】
しかしながら、従来のガスケット抜け防止機構には、構造が複雑であったり、生産性が悪かったりするものが、多かった。また、シリンジの後端部の内面に抜け防止用の凸部が設けられた従来例においては、ガスケットをシリンジ内に挿入する際に、その凸部によってガスケット表面に傷が付く、という不具合があった。【０００５】
本発明は、簡素な構造でガスケットの抜け防止を実現できるガスケット抜け防止機構を、提供することを目的とする。
【課題を解決するための手段】
【０００６】
本発明は、注射器に設けられており、シリンジの後端開口からプランジャー先端のガスケットが抜けるのを防止する、ガスケット抜け防止機構において、前記シリンジの後端部内に固定されるようになっているストッパーを、含んでおり、前記ストッパーは、割溝を有する円筒体であり、固定前はプランジャーのロッドの細径部に外嵌しており、固定する際には前記細径部において割溝を閉じる方向に変形させることによって前記シリンジの前記後端部の内径よりも小径となって前記後端部に挿入できるようになっており、挿入後は拡径して外周の凹部が前記シリンジの前記後端部の内面の第１凸部に嵌まることによって前記後端部内に軸方向移動不能に固定されるようになっており、前記ストッパーは、固定された状態において前記ロッドの前記ガスケット支持フランジの外径より小さい内径を有する、第２凸部を、有している、ことを特徴としている。
【発明の効果】
【０００７】
本発明によれば、ストッパーを、ロッドの細径部で縮径させることによってシリンジの後端部内へ挿入でき、更には、後端部内に軸方向移動不能に固定でき、そして、固定されたストッパーによって、ガスケットがシリンジから抜けるのを防止できるので、簡素な構造でガスケットの抜け防止を実現できる。
【図面の簡単な説明】
【０００８】
【図１】本発明のガスケット抜け防止機構を備えた注射器の前方斜視図である。
【図２】注射器の後方斜視図である。
【図３】注射器の平面図である。
【図４】注射器の分解図である。
【図５】ピストンの分解図である。
【図６】シリンジの断面平面図である。
【図７】プランジャーロッドの後方斜視図である。
【図８】プランジャーロッドの平面図である。
【図９】プランジャーロッドの側面図である。
【図１０】図８のＸ−Ｘ断面図である。
【図１１】図８のＸＩ−ＸＩ断面図である。
【図１２】プランジャーロッドの取付部に嵌め込み式で固定されたガスケットを示す部分断面図である。
【図１３】ガスケットの平面図である。
【図１４】ストッパーの後方下方斜視図である。
【図１５】図５のストッパーのＸＶ矢視図である。
【図１６】図５のストッパーのＸVI矢視図である。
【図１７】図１５のＸVII−ＸVII断面図である。
【図１８】図１５のＸVIII−ＸVIII断面図である。
【図１９】図１５のＸIX−ＸIX断面図である。
【図２０】組立中の注射器の平面図である。
【図２１】組み立て後の注射器すなわち図１の注射器の縦断面を示す斜視図である。
【図２２】ストッパーの固定構造を示す一部断面部分拡大図である。
【図２３】変形例の一例を示す一部断面部分拡大図である。
【発明を実施するための形態】
【０００９】
図１は、本発明のガスケット抜け防止機構を備えた注射器１０の前方斜視図である。図２は、注射器１０の後方斜視図である。図３は図１の注射器１０の平面図である。この注射器１０は、シリンジ１と、シリンジ１に挿入されたピストン６と、を備えている。図４は、注射器１０の分解図である。図５は、プランジャー２の分解図である。ピストン６は、プランジャーロッド２と、その先端に固定されたガスケット３と、からなっている。更に、注射器１０は、ガスケット抜け防止機構を備えている。ガスケット抜け防止機構は、ストッパー４を含んでいる。なお、図においては、注射針の図示を省略している。
【００１０】
図６は、シリンジ１の断面平面図である。シリンジ１は、先端から、注射針が取り付けられるルアー部１１と、注射液が充填される本体部１２と、ストッパー４が固定される後端部１３と、指当て用フランジ１４と、を有している。本体部１２の内径Ｄ１は、先端から後端にかけて、漸次大きくなっている場合があるが、略同一である場合もある。前者の場合は、製造時における型抜きが容易である。後端部１３は、本体部１２の内径Ｄ１よりも大きな内径Ｄ２を有しており、内面に凸部（第２凸部）１３１を有している。凸部１３１は、周方向に連続している。凸部１３１の内径Ｄ３は、ガスケット３の外径Ｄ４（図５）と同じに又は僅かに大きく設定されている。
【００１１】
シリンジ１は、ポリプロピレン樹脂又はシクロオレフィンポリマー樹脂又はシクロオレフィンコポリマー樹脂でできているのが、好ましい。
【００１２】
図７は、プランジャーロッド２の後方斜視図である。図８は、プランジャーロッド２の平面図である。図９は、プランジャーロッド２の側面図である。図１０は、図８のＸ−Ｘ断面図である。図１１は、図８のＸＩ−ＸＩ断面図である。プランジャーロッド２は、先端から、ガスケット３の取付部２１と、取り付けられたガスケット３を後方から支持するフランジ２２と、横断面十字状のロッド部２３と、押し部２４と、を有している。取付部２１は、嵌め込み式の形態を有しているが、ネジ式の形態を有してもよい。ロッド部２３は、先端から、ストッパー４の取付部２３１と、ストッパー４の嵌め込み部（細径部）２３２と、ロッド本体部２３３と、を有している。図５に示されるように、嵌め込み部２３２の軸方向寸法Ｌ１は、ストッパー４の軸方向寸法Ｌ２と同じに又は僅かに大きく設定されている。
【００１３】
ロッド部２３は、中心から上下左右に突出した４枚の板体２３Ａ、２３Ｂ、２３Ｃ、２３Ｄからなっている。そして、取付部２３１及びロッド本体部２３３では、図１０に示されるように、４枚の板体２３Ａ、２３Ｂ、２３Ｃ、２３Ｄの突出寸法が同じである。一方、嵌め込み部２３２では、図１１に示されるように、２枚の板体２３Ｂ、２３Ｄの突出寸法が他の板体２３Ａ、２３Ｃより少し小さく設定されている。
【００１４】
ガスケット３は、図１２に示されるように、プランジャーロッド２の取付部２１に嵌め込み式で固定されている。また、ガスケット３は、図１３に示されるように、前から順に、第１環状凸部３１、第２環状凸部３２、及び第３環状凸部３３を、外周に有する、円柱体３０である。そして、第１環状凸部３１は、外径Ｄ４を有しており、第１環状凸部３１より小さい外径を有する第２環状凸部３２と共に、シール機能を果たすようになっており、第３環状凸部３３は、ガスケット３の摺動を安定させるよう機能するようになっている。なお、ガスケット３としては、他の形態のガスケットを使用してもよい。
【００１５】
ガスケット３は、ポリテトラフルオロエチレン樹脂又はテトラフルオロエチレン・パーフルオロアルキルビニルエーテル共重合体樹脂でできているのが、好ましい。なお、ガスケット３は、合成ゴムで構成されてもよい。合成ゴムとしては、例えば、ブチルゴム、ＳＢＲ、ＢＲ、ＥＰＤＭ、フッ素ゴム、ＮＢＲ、シリコーンゴム等を、使用できる。更に、ガスケット３は、ブチルゴムの表面にフッ素樹脂フィルムを積層した構成を、採用してもよい。
【００１６】
図１４は、ストッパー４の後方下方斜視図である。図１５は、図５のストッパー４のＸＶ矢視図である。図１６は、図５のストッパー４のＸVI矢視図である。図１７は、図１５のＸVII−ＸVII断面図である。図１８は、図１５のＸVIII−ＸVIII断面図である。図１９は、図１５のＸIX−ＸIX断面図である。ストッパー４は、円筒体４０でできている。円筒体４０は、軸方向に延びた割溝４１を有している。よって、円筒体４０は、図１３の矢印Ｒに示されるように、割溝４１を閉じる方向に撓むことができ、その結果、縮径するようになっている。円筒体４０の前端は開放されており、後端は閉鎖されている。すなわち、後端には、閉鎖部４２が設けられている。閉鎖部４２には、ロッド部２３の３枚の板体２３Ａ、２３Ｂ、２３Ｄが挿通する溝４３Ａ、４３Ｂ、４３Ｄが形成されている。なお、板体２３Ｃが挿通する溝は、割溝４１が兼用している。円筒体４０の前部の内面には、凸部（第３凸部）４４が形成されている。凸部４４は、割溝４１の部分以外において周方向に連続している。凸部４４の内径Ｄ５（図１９）は、ロッド本体部２３３の外径Ｄ６と同じに設定されており、更には、ガスケット３を支持するフランジ２２の外径Ｄ７より小さく設定されている。そして、円筒体４０の後部の外面には、周方向に連続した凹部（第１凹部）４５が形成されている。凹部４５の外径Ｄ８（図１９）は、シリンジ１の凸部１３１の内径Ｄ３と同じに設定されている。
【００１７】
そして、注射器１０の組立は、次のように行う。
まず、図４に示されるように、プランジャーロッド２において、先端の取付部２１にガスケット３を取り付けるとともに、ロッド部２３の嵌め込み部２３２にストッパー４を嵌め込む。この際、ストッパー４は、閉鎖部４２を後方へ向けた状態で、３枚の板体２３Ａ、２３Ｂ、２３Ｄがそれぞれ溝４３Ａ、４３Ｂ、４３Ｄを挿通するように、嵌め込み部２３２に取り付ける。次に、図２０に示されるように、プランジャー２の先端のガスケット３を、シリンジ１の後端からシリンジ１内に差し込み、本体部１２内に嵌め込み、更に、嵌め込み部２３２に外嵌しているストッパー４を、縮径させながら、取付部２３１へ、すなわち、シリンジ１の後端部１３内へ、押し込む。後端部１３内へ押し込まれたストッパー４は、拡径し、凹部４５にシリンジ１の後端部１３の凸部１３１が嵌合する。これにより、ストッパー４は、シリンジ１の後端部１３内に、軸方向移動不能に固定される。図２１は、組み立て後の注射器１０すなわち図１の注射器１０の縦断面を示す斜視図である。
【００１８】
前記構成の注射器１０によれば、次のような作用効果を発揮できる。
（１）ストッパー４を、ロッド部２３の嵌め込み部２３２で縮径させることによってシリンジ１の後端部１３内へ挿入でき、更に、後端部１３内に軸方向移動不能に固定できる。そして、凸部４４の内径Ｄ５を、ガスケット３を支持するフランジ２２の外径Ｄ７より小さく設定している。したがって、プランジャー２を後方へ引いていくと、フランジ２２がストッパー４の凸部４４に衝突するので、プランジャー２を、それ以上、後方へ引くことはできない。すなわち、ガスケット３がシリンジ１から抜け出る程にプランジャー２が後方へ引かれるのを、防止できる。したがって、簡素な構成でガスケット３の抜け防止を実現できる。このガスケット抜け防止は、ストッパー４、ロッド部２３の嵌め込み部２３２、及びシリンジ１の後端部１３の凸部４４によって、実現できている。
【００１９】
（２）ストッパー４をシリンジ１の後端部１３内へ挿入する際、ストッパー４をロッド部２３の嵌め込み部２３２で縮径させるので、ストッパー４をシリンジ１の後端部１３内へ容易に挿入できる。
【００２０】
（３）シリンジ１の後端部１３の凸部１３１が周方向に連続しており、及び、ストッパー４の凹部４５が割溝４１の部分以外において周方向に連続しているので、凸部１３１を凹部４５に強固に嵌合できる。したがって、ストッパー４を、シリンジ１の後端部１３内に、軸方向移動不能に、強固に固定できる。
【００２１】
（４）シリンジ１の後端部１３の凸部１３１の内径Ｄ３が、ガスケット３の外径Ｄ４と同じに又は僅かに大きく設定されているので、シリンジ１内にガスケット３を挿入する際にガスケット３の外周面が凸部１３１によって傷付くのを防止できる。
【００２２】
（５）プランジャーロッド２のロッド部２３は、ストッパー４の閉鎖部４２の溝４３Ａ、４３Ｂ、４３Ｄと、ストッパー４の凸部４４と、によって支持された状態となっているので、シリンジ１内において撓むことなく安定しており、したがって、ガスケット３の気密性及び液密性を損なわせることはない。
【００２３】
（６）プランジャーロッド２のロッド部２３は、ストッパー４の閉鎖部４２の溝４３Ａ、４３Ｂ、４３Ｄと、に沿って、前後に移動できるので、安定した移動を実現できる。
【００２４】
（変形例）
（１）上記実施形態では、図２２に示されるように、ストッパー４をシリンジ１の後端部１３内に軸方向移動不能に固定するために、ストッパー４の凹部４５にシリンジ１の凸部１３１が嵌合しているが、図２３に示されるように、ストッパー４の凸部４５ａがシリンジ１の凹部１３１ａに嵌合してもよい。
【産業上の利用可能性】
【００２５】
本発明は、簡素な構造でガスケットの抜け防止を実現できるので、産業上の利用価値が大である。
【符号の説明】
【００２６】
１  シリンジ  １３  後端部  １３１  （第２）凸部  ２  プランジャーロッド  ２２  フランジ  ２３  ロッド部  ２３２  嵌め込み部（細径部）  ３  ガスケット  ４  ストッパー  ４１  割溝  ４２  閉鎖部  ４４  （第３）凸部  ４５  （第１）凹部  ６  ピストン  １０  注射器
【図１】
2019077703.tif 000003
【図２】
2019077703.tif 000004
【図３】
2019077703.tif 000005
【図４】
2019077703.tif 000006
【図５】
2019077703.tif 000007
【図６】
2019077703.tif 000008
【図７】
2019077703.tif 000009
【図８】
2019077703.tif 000010
【図９】
2019077703.tif 000011
【図１０】
2019077703.tif 000012
【図１１】
2019077703.tif 000013
【図１２】
2019077703.tif 000014
【図１３】
2019077703.tif 000015
【図１４】
2019077703.tif 000016
【図１５】
2019077703.tif 000017
【図１６】
2019077703.tif 000018
【図１７】
2019077703.tif 000019
【図１８】
2019077703.tif 000020
【図１９】
2019077703.tif 000021
【図２０】
2019077703.tif 000022
【図２１】
2019077703.tif 000023
【図２２】
2019077703.tif 000024
【図２３】
2019077703.tif 000025
【国際調査報告】
2019077703.tif 000026
2019077703.tif 000027
2019077703.tif 000028